(57)【要約】【課題】生体に投与する液状物が収容された複数種の容器の各出口部と投与管とを接続する医療用接続具において、接続作業性を良好にしながら、液状物の洩れを抑制する。【解決手段】医療用接続具１に、投与管が接続される投与管接続部１４と、容器の出口部が挿入された状態で接続される筒状の容器接続部１１とを設ける。容器接続部１１を、出口部の外周面形状に対応するように変形する柔軟性を有する材料で構成する。容器接続部１１の投与管接続部１４側に、容器接続部１１よりも硬く構成された把持部１３を設ける。作業者は、把持部１３を把持して容器の出口部を容器接続部１１に挿入する。【選択図】図１
2008093211.tif 000002
【特許請求の範囲】
【請求項１】
液状物を収容する容器から突出するように設けられた出口部と、上記液状物を生体に導く投与管との間に配置され、上記出口部及び上記投与管を接続する医療用接続具において、
上記投与管の上流端部が接続される投与管接続部と、
上記容器の出口部が挿入された状態で接続される筒状をなし、挿入された状態にある上記出口部の外周面形状に対応するように変形する柔軟性を有する容器接続部と、
上記容器接続部の投与管接続部側に設けられ、該容器接続部よりも硬く構成された把持部とを備えていることを特徴とする医療用接続具。
【請求項２】
請求項１に記載の医療用接続具において、
投与管の上流端部と投与管接続部との間に配置される点滴筒を備えており、
上記投与管接続部は、上記点滴筒を介して上記投与管の上流端部と接続され、
上記点滴筒は把持部に固定されていることを特徴とする医療用接続具。
【請求項３】
請求項１または２に記載の医療用接続具において、
把持部の外周面には、平坦面部が設けられていることを特徴とする医療用接続具。
【請求項４】
請求項１から３のいずれか１つに記載の医療用接続具において、
把持部の外周面には、突出部が設けられていることを特徴とする医療用接続具。
【請求項５】
請求項１から４のいずれか１つに記載の医療用接続具において、
把持部と投与管接続部とが一体であることを特徴とする医療用接続具。
【請求項６】
請求項１から５のいずれか１つに記載の医療用接続具において、
容器接続部と投与管接続部とが一体であることを特徴とする医療用接続具。
【請求項７】
請求項１から６のいずれか１つに記載の医療用接続具において、
把持部は筒状に形成され、
容器接続部には、上記把持部の内周面を覆う筒状の被覆部が一体成形されていることを特徴とする医療用接続具。
【請求項８】
請求項７に記載の医療用接続具において、
容器接続部の被覆部の内周面は平滑面で構成されていることを特徴とする医療用接続具。
【請求項９】
請求項７に記載の医療用接続具において、
把持部の内周面には、被覆部の厚みに対応した段部が形成され、該段部内に被覆部が位置していることを特徴とする医療用接続具。
【請求項１０】
請求項１から９のいずれか１つに記載の医療用接続具において、
容器接続部には、把持部の外周面に固着した固着部が設けられていることを特徴とする医療用接続具。
【請求項１１】
請求項１から１０のいずれか１つに記載の医療用接続具において、
把持部は、容器接続部側へ向けて延びる延長部を有し、
上記延長部と上記容器接続部との間には、隙間が設けられていることを特徴とする医療用接続具。
【請求項１２】
請求項１から１１のいずれか１つに記載の医療用接続具において、
容器接続部の周壁の一部には、該容器接続部よりも硬く構成されて中心線方向に延びる骨部が埋め込まれていることを特徴とする医療用接続具。
【請求項１３】
請求項１２に記載の医療用接続具において、
骨部の長手方向に直交する方向の断面積は、容器の出口部が挿入される側に近づくほど小さくなるように設定されていることを特徴とする医療用接続具。
【請求項１４】
請求項１から１３のいずれか１つに記載の医療用接続具において、
把持部と容器接続部とは別部材で構成され、該容器接続部には、該把持部に係合するアンカー部が設けられていることを特徴とする医療用接続具。
【発明の詳細な説明】
【技術分野】
【０００１】
本発明は、生体に投与するための液状物を収容した容器とその液状物を生体に投与するための投与管とを接続する際に用いられる医療用接続具に関する。
【背景技術】
【０００２】
従来より、例えば、特許文献１に開示されているように、食物の嚥下に障害を有する患者に対して、液状物としての栄養剤を胃に直接注入して投与する経管栄養補給法が行われることがある。この経管栄養補給法は、消化器官を働かせることができるため、静脈に栄養剤を注入する経静脈栄養補給法に比べて患者の回復期間の短縮化が図られるという長所を有しており、広く用いられるようになってきている。
【０００３】
上記経管栄養補給法では、患者の口や鼻から胃へ挿入した投与管や、腹壁から胃壁に跨って造設された孔部から胃に挿入した投与管の上流端部を容器の出口部に接続し、該容器に収容された栄養剤を投与管により胃に導くようにしている。
【特許文献１】実開平７−３１０５９号公報
【発明の開示】
【発明が解決しようとする課題】
【０００４】
ところで、上記栄養剤を収容する容器としては、特許文献１にも開示されているように、樹脂製フィルムを溶着した袋状の容器や、ポリプロピレン等を円筒状に成形した容器等がある。さらに、栄養剤が予め充填されたプレフィルドタイプの容器や、患者に合わせて医療現場で調合した栄養剤を移し替え可能な容器等もある。このように容器には様々な種類があるとともに、製造メーカーも複数あることから、容器の出口部の形状は、容器の本体部分から突出する形状であるという点を除いて、互いに異なっている。このため、医療現場においては容器毎に専用の接続構造を持った接続具を用意しなければならず、これらの管理を考えると不便である。
【０００５】
これに対し、容器と投与管との接続構造を複数種の容器の出口部に対応できるように汎用性を持たせいという要求がある。しかしながら、汎用性を持たせた場合には、様々な形状の出口部に投与管を確実に接続して栄養剤の洩れを抑制するのは難しく、しかも、専用の接続構造を持ったものに比べて接続作業性が悪化することも考えられる。
【０００６】
本発明は斯かる点に鑑みてなされたものであり、その目的とするところは、生体に投与する液状物が収容された複数種の容器の各出口部と投与管との接続作業性を良好にしながら、接続部分からの液状物の洩れを抑制することにある。
【課題を解決するための手段】
【０００７】
上記目的を達成するために、本発明では、容器の出口部が接続される容器接続部を柔軟なものとするとともに、この容器接続部の投与管接続部側に、該容器接続部よりも硬い把持部を設けた。
【０００８】
具体的には、請求項１の発明では、液状物を収容する容器から突出するように設けられた出口部と、上記液状物を生体に導く投与管との間に配置され、上記出口部及び上記投与管を接続する医療用接続具において、上記投与管の上流端部が接続される投与管接続部と、上記容器の出口部が挿入された状態で接続される筒状をなし、挿入された状態にある上記出口部の外周面形状に対応するように変形する柔軟性を有する容器接続部と、上記容器接続部の投与管接続部側に設けられ、該容器接続部よりも硬く構成された把持部とを備えている構成とする。
【０００９】
この構成によれば、容器の出口部を容器接続部に挿入する際、作業者が把持部を持つことで、容器接続部の径方向の潰れが抑制され、さらに、硬い把持部が容器接続部の投与管接続部側にあるので、容器接続部に挿入方向の力が作用した時には、把持部によって容器接続部の投与管接続部側の変形も抑制される。これにより、柔軟な容器接続部に出口部を容易に挿入して接続することが可能になる。そして、出口部を容器接続部に挿入した状態では、容器接続部は、出口部の外周面形状に対応するように変形する。これにより、様々な形状の出口部に対し容器接続部を密着させて液状物の洩れを抑制することが可能になる。
【００１０】
尚、投与管については、統一された規格品が用いられることが多いため、投与管と投与管接続部との間からは液状物が洩れ難い。
【００１１】
請求項２の発明では、請求項１の発明において、投与管の上流端部と投与管接続部との間に配置される点滴筒を備えており、上記投与管接続部は、上記点滴筒を介して上記投与管の上流端部と接続され、上記点滴筒は把持部に固定されている構成とする。
【００１２】
この構成によれば、把持部を点滴筒と一体化したことにより、作業者は容器の出口部を容器接続部に挿入する際に、把持部と一緒に点滴筒を持つことで、把持部を手の中で安定させることが可能になる。
【００１３】
請求項３の発明では、請求項１または２の発明において、把持部の外周面には、平坦面部が設けられている構成とする。
【００１４】
この構成によれば、作業者が平坦面部に指を置いて掴むようにすることで、容器の出口部を容器接続部に挿入する際に把持部が手の中で滑り難くなる。
【００１５】
請求項４の発明では、請求項１から３のいずれか１つの発明において、把持部の外周面には、突出部が設けられている構成とする。
【００１６】
この構成によれば、容器の出口部を容器接続部に挿入する際や容器接続部から抜く際に突出部が滑り止めとなり、把持部が手の中で滑り難くなる。
【００１７】
請求項５の発明では、請求項１から４のいずれか１つの発明において、把持部と投与管接続部とが一体である構成とする。
【００１８】
この構成によれば、医療用接続具のコストダウンを図ることが可能になる。
【００１９】
請求項６の発明では、請求項１から４のいずれか１つの発明において、容器接続部と投与管接続部とが一体である構成とする。
【００２０】
この構成によれば、医療用接続具のコストダウンが図られるとともに、容器接続部と投与管接続部との間で液状物の洩れを防止することが可能になる。
【００２１】
請求項７の発明では、請求項１から６のいずれか１つの発明において、把持部は筒状に形成され、容器接続部には、上記把持部の内周面を覆う筒状の被覆部が一体成形されている構成とする。
【００２２】
この構成によれば、容器から流入した液状物が把持部の内部を流れる際、この把持部の内周面は被覆部で覆われているので、液状物の圧力により被覆部が把持部の内周面に押し付けられることになる。このとき、被覆部は容器接続部と一体成形されていて柔軟性を有しており、一方、把持部は被覆部よりも硬いので、被覆部は把持部の内周面に密着してシール効果が得られる。これにより、液状物の洩れが抑制される。
【００２３】
請求項８の発明では、請求項７の発明において、容器接続部の被覆部の内周面は平滑面で構成されているものとする。
【００２４】
この構成によれば、液状物が被覆部の内部を通って流れる際、該被覆部の内周面が平滑なので、液状物が滞留し難くなる。
【００２５】
請求項９の発明では、請求項７の発明において、把持部の内周面には、被覆部の厚みに対応した段部が形成され、該段部内に被覆部が位置している構成とする。
【００２６】
この構成によれば、液状物の流路を滑らかにすることが可能になる。
【００２７】
請求項１０の発明では、請求項１から９のいずれか１つの発明において、容器接続部には、把持部の外周面に固着した固着部が設けられている構成とする。
【００２８】
この構成によれば、容器接続部と把持部とが分離し難くなる。
【００２９】
請求項１１の発明では、請求項１から１０のいずれか１つの発明において、把持部は、容器接続部側へ向けて延びる延長部を有し、上記延長部と上記容器接続部との間には、隙間が設けられている構成とする。
【００３０】
この構成によれば、容器接続部を容器の出口部に接続する際、把持部の延長部は容器に近い所に位置することになる。従って、延長部を手で持つことで、医療用接続具における容器に近い所を持って接続作業することが可能になる。また、容器の出口部を容器接続部に挿入する際には、延長部と容器接続部との間に隙間があるため、容器接続部が拡径方向に変形するのを延長部が阻害することはない。
【００３１】
請求項１２の発明では、請求項１から１１のいずれか１つの発明において、容器接続部の周壁の一部には、該容器接続部よりも硬く構成されて中心線方向に延びる骨部が埋めこまれている構成とする。
【００３２】
この構成によれば、容器の出口部を容器接続部に挿入して接続する際、容器接続部が中心線方向に潰れ難くなる。また、出口部を容器接続部から抜く際には、該容器接続部をこじるようにすることで、該容器接続部の周壁における骨部が埋め込まれた部分が他の部分よりも硬いので、その骨部が埋めこまれた部分を容器の出口部の外周面から離すことが可能になる。これにより、容器の出口部の外周面と容器接続部の内周面との間に空気を入れて両者の密着状態を解くことが可能になる。
【００３３】
請求項１３の発明では、請求項１２の発明において、骨部の長手方向に直交する方向の断面積は、容器の出口部が挿入される側に近づくほど小さくなるように設定されている構成とする。
【００３４】
この構成によれば、骨部は、容器の出口部が挿入される側に近づくほど剛性が低くなる。従って、容器の出口部が容器接続部に挿入された状態では、骨部にける剛性の低い部分の形状が出口部の外周面の形状に沿うようになり、出口部に対し容器接続部が確実に密着するようになる。
【００３５】
請求項１４の発明では、請求項１から１３のいずれか１つの発明において、把持部と容器接続部とは別部材で構成され、該容器接続部には、該把持部に係合するアンカー部が設けられている構成とする。
【００３６】
この構成によれば、把持部と容器接続部とを各々に適した材料で構成した場合に、両者が強固に一体化される。
【発明の効果】
【００３７】
請求項１の発明によれば、容器接続部を柔軟に構成し、この容器接続部の投与管接続部側に容器接続部よりも硬い把持部を設けたので、把持部を持つことで容器の出口部の接続作業性を良好にしながら、複数種の容器の各出口部と投与管とを確実に接続して液状物の洩れを抑制することができる。
【００３８】
請求項２の発明によれば、投与管の上流端部と投与管接続部との間に配置した点滴筒を把持部と一体化したので、接続作業の際、把持部を手の中で安定させることができ、接続作業性をより一層良好にすることができる。
【００３９】
請求項３、４の発明によれば、容器の出口部を容器接続部に挿入する際や容器接続部から抜く際に把持部が手の中で滑り難くなるので、接続作業性をより一層良好にすることができる。
【００４０】
請求項５の発明によれば、把持部と投与管接続部とを一体にしたので、医療用接続具のコストダウンを図ることができる。
【００４１】
請求項６の発明によれば、容器接続部と投与管接続部とを一体にしたので、医療用接続具のコストダウンを図ることができるとともに、液状物の洩れを防止することができる。
【００４２】
請求項７の発明によれば、把持部を筒状に形成し、容器接続部に、該把持部の内周面を覆う被覆部を一体成形したので、把持部及び投与管接続部と、容器接続部とを別部材で構成した場合に、液状物の洩れを防止することができる。
【００４３】
請求項８の発明によれば、被覆部の内周面を平滑面で構成したので、液状物をスムーズに流すことができる。これにより、液状物の滞留を抑制することができる。
【００４４】
請求項９の発明によれば、被覆部を把持部の内周面に形成した段部内に位置付けたので、液状物の流路を滑らかに構成でき、液状物の滞留を抑制することができる。
【００４５】
請求項１０の発明によれば、別部材で構成した投与管接続部と容器接続部とを分離し難くすることができ、医療用接続具の破損を抑止できる。
【００４６】
請求項１１の発明によれば、把持部が容器接続部側へ向けて延びる延長部を有しているので、容器の出口部を容器接続部に接続する際に、延長部を持つことで、接続作業性をより一層良好にすることができる。また、延長部と容器接続部との間に隙間があるので、容器接続部の変形を延長部が阻害することはなく、容器の出口部を確実に接続できる。
【００４７】
請求項１２の発明によれば、容器接続部の周壁に中心線方向に延びる骨部を埋め込むことで、容器の出口部を容器接続部に挿入して接続する際、容器接続部が中心線方向に潰れ難くなり、接続作業性をより一層良好にすることができる。また、容器の出口部を容器接続部から抜く際には、該容器接続部をこじるようにすることで、容器の出口部の外周面と容器接続部の内周面との間に空気を入れて両者の密着状態を解くことができ、容器の出口部を小さい力で容易に抜くことができる。
【００４８】
請求項１３の発明によれば、骨部の剛性を、容器の出口部が挿入される側に近づくほど低くできる、これにより、容器の出口部が容器接続部に挿入された状態で、骨部における剛性の低い部分が出口部の外周面の形状に沿う形状となり、出口部に対し容器接続部を確実に密着させて液密性を確保できる。
【００４９】
請求項１４の発明によれば、容器接続部に、把持部に係合するアンカー部を設けたので、容器接続部と把持部とを強固に一体化して両者が分離するのを防止でき、医療用接続具の破損を防止できる。
【発明を実施するための最良の形態】
【００５０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００５１】
《発明の実施形態１》
図１は、本発明の実施形態１に係る医療用接続具１を示すものである。医療用接続具１は、図２に示すように、経管栄養補給法に用いられる栄養剤を収容した容器Ａと、栄養剤を患者の胃に導くための投与管Ｂとを接続するためのものである。上記容器Ａは、樹脂製フィルムを溶着してなる袋状のものであり、患者のベッド周りに配置されたイルリガートル台等（図示せず）に吊り下げるための吊り下げ用孔Ａ１を有している。この容器Ａの出口部Ａ２は、ポリプロピレン等の硬質樹脂材を筒状に成形してなるものであり、容器Ａの本体部分から突出している。尚、容器Ａとしては、袋状のもの以外にも樹脂を円筒状に成形してなるものもあり、また、患者に合わせて医療現場で調合した栄養剤を移し替えることができる蓋付きの容器もある。これら複数種の容器Ａの出口部Ａ２の形状は、統一した規格がないため、互いに異なっている。
【００５２】
上記投与管Ｂは、例えば、ポリ塩化ビニル等で構成されている。投与管Ｂの下流端部は、患者の口や鼻から食道を経由させて胃に挿入されるようになっており、上流端部が上記医療用接続具１を介して容器Ａの出口部Ａ２に接続されるようになっている。尚、患者に腹膜から胃壁に跨って栄養剤投与用の孔部が造設されている場合には、投与管Ｂの先端部をその孔部に挿入するようにすればよい。また、栄養剤を投与管Ｂにより腸へ直接導くようにしてもよい。また、投与管Ｂの途中には、流量調整用のロールクランプＣが設けられている。
【００５３】
図１、図３〜図５に示すように、上記医療用接続具１は、全体として筒状をなしており、軟質部材１０からなる容器接続部１１と、硬質部材１２からなる把持部１３及び投与管接続部１４と、点滴筒１５とを備えている。この医療用接続具１は、図２に示す使用状態で、容器接続部１１が上部に位置しており、この容器接続部１１の下方に点滴筒１５が位置している。尚、この実施形態の説明では、使用状態で上となる方を単に「上」といい、下となる方を単に「下」というものとする。
【００５４】
上記硬質部材１２は、ポリプロピレン等の樹脂材を大略円筒状に形成してなるものである。この硬質部材１２の材料としては、他にも、例えば、アクリロニトリルブタジエンスチレン樹脂（ＡＢＳ樹脂）、ポリカーボネートや硬質ポリ塩化ビニル等が挙げられが、これらに限定されるものではない。図５に示すように、この硬質部材１２の上半部で上記把持部１３が構成され、下半部で上記投与管接続部１４が構成されている。把持部１３の外周面における周方向に１８０゜離れた２箇所には、平坦面部１３ａがそれぞれ形成されている。これら平坦面部１３ａ、１３ａは、互いに同じ形状とされ、把持部１３の上下方向中間部から上縁部に亘って形成されている。把持部１３における平坦面部１３ａが形成された部位は、他の部位に比べて薄肉となっている。平坦面部１３ａの下縁部には、下方へ行くほど把持部１３の径方向外側に位置するように傾斜した傾斜面部１３ｂが連続している。尚、上記平坦面部１３ａの数は、２つに限られるものではなく、任意に設定することができる。
【００５５】
図１及び図３に示すように、上記把持部１３の外周面における平坦面部１３ａ、１３ａの間には、それぞれ、把持部１３の中心線方向に延びる２本の凹条部１３ｃが周方向に離れて形成されている。これら凹条部１３ｃは、把持部１３の下縁部から上縁部に亘って形成されている。
【００５６】
図５に示すように、上記把持部１３の内周面における下部近傍には、段部１３ｄが形成されている。この段部１３ｄの深さは、後述する容器接続部１１の被覆部１１ｂの厚さと同じに設定されている。また、把持部１３の断面形状は、上縁部から段部１３ｄまで略同じに設定されており、従って、把持部１３の内周面は、上縁部から段部１３ｄまで平滑面で構成されている。把持部１３の内周面における段部１３ｄよりも下側は、下方へ行くほど小径となるテーパー面部１３ｅで構成されている。
【００５７】
上記投与管接続部１４は、内筒部１４ａと外筒部１４ｂとを備えた２重筒構造とされている。内筒部１４ａの内周面は、上記把持部１３のテーパー面部１３ｅに連なっている。この内筒部１４ａの内部は、把持部１３の内部に連通している。外筒部１４ｂの肉厚は、内筒部１４ａの肉厚よりも薄く設定され、また、外筒部１４ｂの下端部は、内筒部１４ａの下端部よりも上方に位置している。外筒部１４ｂの外周面には、外方へ突出して周方向に延びる第１環状壁１４ｃが設けられている。この第１環状壁１４ｃの外縁部には、下方へ延びる第２環状壁１４ｄが設けられている。
【００５８】
上記投与管接続部１４の下部に上記点滴筒１５が固定され、投与管接続部１４と点滴筒１５が一体化されている。点滴筒１５は、無色透明なポリプロピレン等からなる一体成形品であり、下方へ行くほど小径となるように形成されている。点滴筒１５の上端部には、径方向外方へ突出して周方向に延びるフランジ１５ａが設けられている。フランジ１５ａの上面の内周側には、上記外筒部１４ｂと第２環状壁１４ｄとの間に位置する環状の溶着部１５ｂが設けられている。この溶着部１５ｂの全周が外筒部１４ｂ、第１及び第２環状壁１４ｃ、１４ｄに溶着されている。フランジ１５ａの上面の外周側は、第２環状壁１４ｄの下端部に当接するようになっている。尚、投与管接続部１４と点滴筒１５とは、接着剤等を用いて接着してもよいし、一体成形するようにしてもよい。
【００５９】
図１にも示すように、上記点滴筒１５の下端面には、投与管Ｂの上流端部が嵌入する嵌入溝１５ｃが形成されている。投与管Ｂは、嵌入溝１５ｃに嵌入された状態で、点滴筒１５を介して投与管接続部１４に接続された状態となって把持部１３の内部と連通する。投与管Ｂは、統一された規格品であるため、嵌入溝１５ｃの形状は、洩れが起こり難い所定形状とされている。
【００６０】
上記軟質部材１０は、上記硬質部材１２及び点滴筒１５を構成する材料よりも柔らかく、かつ、ゴム弾性を有する熱可塑性エラストマーを円筒状に形成してなるものである。この軟質部材１０の材料としては、他にも、例えば、軟質ポリ塩化ビニル等が挙げられるが、これらに限定されるものではない。この軟質部材１０は容器接続部１１を構成するものであり、図５に示すように、容器Ａの出口部Ａ２が挿入される挿入孔１１ｆを有する厚肉な本体部１１ａと、本体部１１ａの下端部から上記把持部１３の内周面を被覆するように下方へ延びる筒状の被覆部１１ｂとで構成されている。つまり、容器接続部１１の投与管接続部１４側に把持部１３が位置している。また、上記容器接続部１１が有する柔軟性は、複数種の容器Ａで出口部Ａ２の外径や形状が異なる場合に、これら出口部Ａ２を挿入する際に容易に変形し、かつ、完全に挿入した状態で出口部Ａ２の外周面形状に対応して該外周面に沿うように変形する程度の柔軟性である。
【００６１】
上記本体部１１ａの内周面は、下方へ向かって僅かに縮径しながら延びるテーパー面で構成されている。この本体部１１ａの内径は、上記した複数種の容器Ａのうち、出口部Ａ２の外径が最も小さい容器Ａに対応するように、該容器Ａの出口部Ａ２の外径よりも小さめに設定されている。従って、容器接続部１１に出口部Ａ２を挿入すると、該容器接続部１１の周壁が伸びるとともに、拡径する。
【００６２】
被覆部１１ｂの内周面は、上記把持部１３の内周面に沿って延びる平滑面で構成されている。図１、図３及び図４に示すように、本体部１１ａの外周面には、複数の凹み部１１ｃが周方向に離れて形成されている。また、本体部１１ａの下端部には、把持部１３の各平坦面部１３ａの上部に固着した固着部１１ｄが設けられている。図５に示すように、固着部１１ｄと被覆部１１ｂとで把持部１３の上部が挟まれている。一方、本体部１１ａの上縁部には、径方向外方へ突出して周方向に延びる突条部１１ｅが形成されている。
【００６３】
次に、上記医療用接続具１を製造する要領について説明する。まず、硬質部材１２及び点滴筒１５を別々に成形しておく。そして、点滴筒１５の溶着部１５ｂを投与管接続部１４に溶着する。次いで、容器接続部１１を成形する成形型（図示せず）内に把持部１３を配置し、この成形型内のキャビティに材料を射出する。これにより、把持部１３と一体化した容器接続部１１が得られ、この容器接続部１１の被覆部１１ｂは把持部１３の内周面に溶着しているとともに、固着部１１ｄは平坦面部１３ａに溶着している。
【００６４】
次に、上記のように構成された医療用接続具１を用いて容器Ａと投与管Ｂとを接続する要領について説明する。まず、作業者は、把持部１３を手で持ち、図３に矢印で示すように、容器Ａの出口部Ａ２を容器接続部１１の挿入孔１１ｆに挿入する。このとき、作業者が平坦面部１３ａ、１３ａに指を置いて把持部１３を掴むようにすることで、把持部１３が手の中で滑り難くなる。さらに、硬質部材１２に点滴筒１５を直接固定して把持部１３と点滴筒１５とを一体化しているため、作業者は、把持部１３と一緒に点滴筒１５を持つことで、把持部１３を手の中で安定させることが可能になる。
【００６５】
上記作業者が容器接続部１１よりも硬い把持部１３を持つことで、容器接続部１１の潰れが抑制され、図５に仮想線で示すように、出口部Ａ２を容器接続部１１の深い所まで挿入可能となる。出口部Ａ２を挿入する際には、出口部Ａ２の外径が容器接続部１１の内径よりも大きく設定されているため、挿入方向に押さえ付けられた容器接続部１１には、中心線方向の圧縮力が強く作用することになる。このとき、把持部１３が硬いので、該把持部１３によって容器接続部１１の投与管接続部１４側の変形が抑制される。これにより、容器接続部１１に出口部Ａ２を容易に挿入して接続することが可能になる。そして、出口部Ａ２を容器接続部１１に完全に挿入した状態では、容器接続部１１は、ゴム弾性を有していることから、出口部Ａ２の外周面形状に対応するように変形して拡径し、容器接続部１１の内周面と出口部Ａ２の外周面とが全周に亘って密着する。このようにして、様々な形状の出口部Ａ２に対し容器接続部１１を密着させて栄養剤の洩れを抑制することが可能になる。また、投与管Ｂの上流端部は、点滴筒１５の嵌入溝１５ｃに嵌入させる。これにより、投与管接続部１４は、点滴筒１５を介して投与管Ｂの上流端部と接続される。この投与管Ｂを接続するタイミングは、容器Ａの出口部Ａ２を接続した後であってもよいし、出口部Ａ２を接続する前であってもよい。
【００６６】
上記出口部Ａ２と投与管Ｂとが接続具１を介して接続されると、容器Ａの栄養剤は、出口部Ａ２から把持部１３内及び内筒部１４ａを流れて点滴筒１５内に滴下し、この点滴筒１５から投与管Ｂを介して胃へ導入される。
【００６７】
また、被覆部１１ｂの内周面を平滑面とし、さらに、把持部１３の内周面に被覆部１１ｂの肉厚に対応した段差１３ｄを形成し、この段差１３ｄ内に被覆部１１ｂを位置付けたので、出口部Ａ２から流入した栄養剤が点滴筒１５にスムーズに流れる。
【００６８】
以上説明したように、この実施形態１に係る医療用接続具１によれば、容器接続部１１を柔軟に構成し、この容器接続部１１の投与管接続部１４側に容器接続部１１よりも硬い把持部１３を設けたので、把持部１３を持つことで容器Ａの出口部Ａ２の接続作業性を良好にしながら、複数種の容器Ａの出口部Ａ２を投与管Ｂに確実に接続して栄養剤の洩れを抑制することができる。
【００６９】
また、把持部１３を構成する硬質部材１２に点滴筒１５を固定して、該把持部１３と点滴筒１５とを一体化したので、接続作業の際、把持部１３を手の中で安定させることができる。さらに、把持部１３に平坦面部１３ａを設けたことで、把持部１３が手の中で滑り難くなる。これらのことにより、接続作業性をより一層良好にすることができる。
【００７０】
また、把持部１３と投与管接続部１４と一体成形しているので、部品点数を削減できる。この場合に、把持部１３及び投与管接続部１４と、容器接続部１１とを各々に適した材料で構成でき、容器接続部１１の柔軟性と把持部１３の十分な硬さとを両立することができる。
【００７１】
また、把持部１３を筒状に形成し、容器管接続部１１に、該把持部１３の内周面を覆う柔軟な被覆部１１ｂを設けたので、栄養剤の洩れを防止することができる。
【００７２】
また、被覆部１１ｂの内周面を平滑にするとともに、被覆部１１ｂを把持部１３の段部１３ｄ内に位置付けるようにしたので、栄養剤をスムーズに流すことができる。これにより、栄養剤が医療用接続具１の中で滞留するのを抑制できる。
【００７３】
また、把持部１３の外周面に固着部１１ｄを固着させたことにより、容器接続部１１と投与管接続部１４とを分離し難くすることができる。
【００７４】
また、図６に示す実施形態１の変形例１のように、把持部１３の外周面に突出部２０を設けてもよい。この突出部２０は、把持部１３の中心線方向に延びる板状をなしており、周方向に離れて２つ設けられている。このように把持部１３に突出部２０を設けることで、容器Ａの出口部Ａ２を容器接続部１１に挿入する際に把持部１３を持つことで突出部２０が滑り止めとなり、把持部１３が手の中で滑り難くなる。これにより、容器Ａの出口部Ａ２の接続作業性をより一層良好にすることができる。尚、この変形例１において、把持部１３に突出部２０と共に平坦面部を設けてもよい。また、突出部２０の形状や数は、任意に設定することができる。
【００７５】
また、点滴筒１５の形状は、図７に示す実施形態１の変形例２のように形成してもよい。この点滴筒１５は、例えばポリ塩化ビニル等で構成されている。
【００７６】
《発明の実施形態２》
図８は、本発明の実施形態２に係る医療用接続具１を示すものである。この実施形態２の医療用接続具１は、点滴筒１５が硬質部材１２から分離している点と把持部１３に突出部２２が設けられている点で実施形態１のものと異なっており、以下、実施形態１のものと同じ部分には同じ符号を付し、異なる部分を詳細に説明する。
【００７７】
上記突出部２２は、把持部１３の外周面から突出して上下方向に延びる板状をなしており、周方向に離れて２つ設けられている。また、点滴筒１５の上端開口部は、樹脂製のキャップ部材２１で閉塞されている。このキャップ部材２１の略中心部には、貫通孔（図示せず）が形成され、この貫通孔の周縁部から上方へ筒部２１ａが突出している。
【００７８】
上記硬質部材１２における把持部１３よりも下側が投与管接続部１４である。硬質部材１２と点滴筒１５との間には、接続具１の構成部材である上部管１６が配置されている。この上部管１６は、投与管Ｂと同様に構成された柔軟性を有するものであり、上部管１６の上流端部が投与管接続部１４に設けられた筒部に外嵌合して接続され、上部管１６の下流端部が上記キャップ部材２１の筒部２１ａに外嵌合して接続されている。また、投与管Ｂの上流端部は、点滴筒１５の下流端部に接続されている。つまり、投与管Ｂは、点滴筒１５及び上部管１６を介して投与管接続部１４に接続された状態となっている。
【００７９】
この実施形態２に係る医療用接続具１によっても、実施形態１と同様に、容器Ａの出口部Ａ２の接続作業性を良好にしながら、複数種の容器Ａの出口部Ａ２を投与管Ｂに確実に接続して栄養物の洩れを抑制することができる。また、硬質部材１２と点滴筒１５との間に上部管１６を設けたので、この上部管１６を曲げて、硬質部材１２と点滴筒１５との相対位置を変えることができ、使用時の利便性が向上する。
【００８０】
また、この実施形態２の把持部１３に実施形態１と同様な平坦面部を設けることも可能である。また、突出部２２は省略することもできる。
【００８１】
《発明の実施形態３》
図９及び図１０は、本発明の実施形態３に係る医療用接続具１を示すものである。この実施形態３の医療用接続具１は、軟質部材１０及び硬質部材１２の形状が実施形態１のものと異なっており、以下、実施形態１のものと同じ部分には同じ符号を付し、異なる部分を詳細に説明する。
【００８２】
上記硬質部材１２には、図１０及び図１１にも示すように、該硬質部材１２の内周面における中心線方向略中央部近傍から上方へ突出する２つの骨部３０、３０が、周方向に約１８０゜離れて２つ形成されている。骨部３０、３０は、硬質部材１２の内周面から内方へ所定寸法離れており、その全体が軟質部材１０の容器接続部１１の周壁に埋め込まれて一体化している。骨部３０、３０は、該容器接続部１１の中心線方向の潰れを防止するためのものである。各骨部３０は、容器接続部１１の上端部まで延びる細長い形をしており、図９に示すように、その上端面が容器接続部１１の上端面から露出している。骨部３０の長手方向に直交する方向の断面形状は、該容器接続部１１の周方向に沿う円弧を描く形状とされている。また、骨部３０の肉厚は、上方へ行くほど薄くされている。つまり、骨部３０の長手方向に直交する方向の断面積は、上方へ行くほど、すなわち出口部Ａ２の挿入側に近づくほど、小さくなるように設定されている。このため、骨部３０は、上方へ行くほど剛性が低くなり、よって、骨部３０の上側部分は、出口部Ａ２が挿入された状態で、該出口部Ａ２の外周面形状に沿うように変形する。これにより、容器接続部１１を出口部Ａ２の外周面に密着させることができ、栄養剤の洩れを防止できる。
【００８３】
上記硬質部材１２の把持部１３には、図１２にも示すように、容器接続部１１の外方で該容器接続部１１側へ向けて延びる延長部３１が形成されている。この延長部３１の上端部は、容器接続部１１の上端部よりも下方に位置していて、延長部３１は、全体として容器接続部１１の略下半部を取り囲む円筒形状をなしている。図９及び図１０に示すように、延長部３１の内周面と容器接続部１１の外周面との間には、全周に亘って隙間３２が形成されている。この隙間３２は、容器Ａの出口部Ａ２を容器接続部１１に挿入する際に容器接続部１１の拡径方向の変形を許容するためのものである。
【００８４】
図１０に示すように、硬質部材１２の内周面には、内方へ向けて突出する突出部１２ａが形成されている。この突出部１２ａには、硬質部材１２の中心線方向に貫通する貫通孔３３が形成されている。この貫通孔３３内には、容器接続部１１を構成する軟質樹脂材が流れ込んでいる。この貫通孔３３に流れこんだ樹脂材は該貫通孔３３の下側で広がった形状で固化しており、この樹脂材が、本発明における把持部１３に係合するアンカー部３４を構成している。
【００８５】
図９や図１１に示すように、上記把持部１３の外周面には、僅かに窪んだ窪み部３５が周方向に互いに離れて複数形成されている。窪み部３５は、上下方向に細長い形状とされている。尚、この窪み部３５の形状や数は、任意に設定することができる。
【００８６】
次に、この実施形態３に係る医療用接続具１の容器接続部１１に容器Ａの出口部Ａ２を挿入する場合について説明する。作業者が把持部１３を手で持った際には、把持部１３の外周面に複数の窪み部１３が形成されていることから、これら窪み部１３が滑り止めとなって、医療用接続具１が手の中で滑り難い。また、把持部１３の延長部３１は容器Ａの出口部Ａ２に近い所に位置することになる。従って、延長部３１を手で持つことで、接続具１における出口部Ａ２に近い所を持つことが可能になる。このとき、延長部３１は硬質な樹脂材で構成されていることから変形し難い。
【００８７】
そして、出口部Ａ２を容器接続部１１に挿入していくと、該容器接続部１１が拡径方向に変形する。このとき、容器接続部１１と延長部３１との間に隙間３２があるため、延長部３１が容器接続部１１の変形を阻害することはなく、出口部Ａ２を容器接続部１１の深いところまで確実に挿入できる。
【００８８】
一方、上記のようにして挿入された出口部Ａ２を容器接続部１１から抜く際には、出口部Ａ２の外周面と容器接続部１１の内周面とが全周に亘って密着しているので、抜き難いことがある。このような場合では、把持部１３や点滴筒１５を持って、図１３に矢印Ｙで示すように、１つの骨部３０が出口部Ａ２の外周面から離れる方向に、容器接続部１１をこじるようにする。これにより、容器接続部１１の周壁のうち、当該骨部３０に対応する部位が該骨部３０によって硬くなっているため、容器接続部１１の外周面から簡単に離れ、容器接続部１１の内周面と出口部Ａ２の外周面との間に空気導入用の空間Ｓが形成される。この空間Ｓから空気が入ると、容器接続部１１の内周面と出口部Ａ２の外周面との密着状態が解かれるので、出口部Ａ２を小さな力で容易に抜くことができる。
【００８９】
この実施形態３に係る医療用接続具１によっても、実施形態１と同様に、容器Ａの出口部Ａ２の接続作業性を良好にしながら、複数種の容器Ａの出口部Ａ２を投与管Ｂに確実に接続して栄養物の洩れを抑制することができる。
【００９０】
また、容器接続部１１にアンカー部３４を設けたことにより、容器接続部１１と把持部１３とを強固に一体化して両者が分離するのを防止でき、接続具１の破損を未然に防ぐことができる。
【００９１】
《発明の実施形態４》
図１４は、本発明の実施形態４に係る医療用接続具１を示すものである。この実施形態４の医療用接続具１は、硬質部材１１及び点滴筒１５の形状が実施形態１のものと異なっており、以下、実施形態１のものと同じ部分には同じ符号を付し、異なる部分を詳細に説明する。
【００９２】
硬質部材１２には、図１５や図１６にも示すように、実施形態３と同様な細長い骨部３０が６つ形成されている。これら骨部３０の周方向の間隔は等しく設定されている。また、把持部１３の下半部は、上半部よりも小径の小径部４０とされている。この把持部１３の外周面には、図１７にも示すように、上下方向に延びる板状の突出部４１が周方向に互いに離れて複数形成されている。また、図１５に示すように、硬質部材１２には実施形態３と同様な貫通孔３３が形成され、この貫通孔３３に流れ込んだ樹脂材は、把持部１３の外周面に固着してアンカー部３４を構成している。
【００９３】
また、投与管接続部１４には、点滴筒１５の内部へ向けて突出する管部１４ｅが設けられている。図１４に示すように、点滴筒１５の両端部は、中間部に比べて小径に形成されている。
【００９４】
この実施形態４に係る医療用接続具１によっても、実施形態１と同様に、容器Ａの出口部Ａ２の接続作業性を良好にしながら、複数種の容器Ａの出口部Ａ２を投与管Ｂに確実に接続して栄養物の洩れを抑制することができる。
【００９５】
尚、上記実施形態１〜４では、容器接続部１１をエラストマーで構成しているが、容器接続部１１は、これに限られるものではなく、例えば、ゴムやシリコーンのように、出口部Ａ２の外周面形状に対応するように変形する柔軟性を有する材料であればよい。
【００９６】
また、上記実施形態１〜４では、把持部１３と投与管接続部１４とを一体成形しているが、これらは別部材で構成してもよい。また、把持部１３は、容器接続部１１よりも硬く変形し難い材料であればよく、樹脂以外の金属材料で構成してもよい。
【００９７】
また、上記実施形態３、４では、容器接続部１１の周壁に、該容器接続部１１よりも硬く構成された骨部３０を埋め込むようにしているが、この骨部３０の数は、２つや６つに限られるものではなく、１つであってもよいし、３つ以上であってもよい。また、骨部３０の長手方向の寸法は、容器接続部１１の周壁の上下方向中間部に達する程度に短くしてもよい。また、骨部３０を設ける場合には、容器接続部１１を、透光性を有する材料で構成することで、骨部３０を容器接続部１１の外側から目視できるようにしてもよい。こうすることで、出口部Ａ２を容器接続部１１から抜くときに、作業者が骨部３０の位置を確認できるので、上述した容器接続部１１のこじる方向が分かり易く、作業性をより一層向上できる。また、同様な効果を得るために、容器接続部１１の外周面に、骨部３０の位置を示す目印を設けてもよい。
【産業上の利用可能性】
【００９８】
以上説明したように、本発明に係る医療用接続具は、例えば、経管栄養補給法の栄養剤を収容した容器と投与管とを接続する際に用いることができる。
【図面の簡単な説明】
【００９９】
【図１】実施形態１に係る医療用接続具の斜視図である。
【図２】医療用接続具の使用状態を説明する図である。
【図３】医療用接続具の側面図である。
【図４】医療用接続具の正面図である。
【図５】図４におけるＶ−Ｖ線断面図である。
【図６】実施形態１の変形例１に係る医療用接続具に投与管を接続した状態を示す斜視図である。
【図７】実施形態１の変形例２に係る図６相当図である。
【図８】実施形態２に係る図６相当図である。
【図９】実施形態３に係る医療用接続具の斜視図である。
【図１０】図９におけるＸ−Ｘ線断面図である。
【図１１】実施形態３に係る硬質部材の斜視図である。
【図１２】実施形態３に係る軟質部材及び硬質部材が一体化した状態の側面図である。
【図１３】実施形態３に係る容器接続部から容器の出口部を抜く場合を説明する図１０相当図である。
【図１４】実施形態４に係る図９相当図である。
【図１５】図１４におけるXV−XV線断面図である。
【図１６】実施形態４に係る図１１相当図である。
【図１７】実施形態４に係る図１２相当図である。
【符号の説明】
【０１００】
１              医療用接続具
１１            容器接続部
１１ｂ          被覆部
１３            把持部
１３ａ          平坦面部
１４            投与管接続部
１５            点滴筒
２０、２２      突出部
３０            骨部
３１            延長部
３２            隙間
３４            アンカー部
Ａ              容器
Ａ２            出口部
Ｂ              投与管
【図１】
2008093211.tif 000003
【図２】
2008093211.tif 000004
【図３】
2008093211.tif 000005
【図４】
2008093211.tif 000006
【図５】
2008093211.tif 000007
【図６】
2008093211.tif 000008
【図７】
2008093211.tif 000009
【図８】
2008093211.tif 000010
【図９】
2008093211.tif 000011
【図１０】
2008093211.tif 000012
【図１１】
2008093211.tif 000013
【図１２】
2008093211.tif 000014
【図１３】
2008093211.tif 000015
【図１４】
2008093211.tif 000016
【図１５】
2008093211.tif 000017
【図１６】
2008093211.tif 000018
【図１７】
2008093211.tif 000019